(57)【要約】 【課題】 従来は霜取りシートと盗難防止器がそれぞれ個別に販売され、取り扱いも一貫性がなく、低価格商品をねらう割には価格も割高であったので、より低価格で商品化しようとするものである。【解決手段】 本発明の構成は霜取り装置部１，２，３と盗難防止部４，５とを備えたものである。本発明の霜取り装置部は車内の前後左右のガラス縁の周辺に磁石１を固着設置し、霜取りシート２を車の前後左右のガラスの上に置き、その上から車内の磁石１の対向位置に磁石３を置くことにより、磁石１．３の吸引力を使って霜取りシート２を磁石１．３で挟んで固定する方法である。本発明の盗難防止部は盗難者がシート２または車外マグネット３を許可なく取り外した時、それを盗難防止用マグネットセンサー５が感知し、、盗難防止装置本体４で警報を発し、その音で盗難を防止するものである。【選択図】   図１
2005280414.tif 000002
【特許請求の範囲】
【請求項１】
ガラスに付着する霜取り方法として、霜が付着するガラス面にシートを置き、シートを置かないガラス面にマグネットを置いておき、ガラス面に置かれたシートの上からもう一つのマグネット置き、互いのマグネットの吸引力を利用してシートをはさみ固定する方式
【請求項２】
許可なく侵入しようとする者に警告をする方法として、マグネットセンサーとマグネットおよび警報器を組み込んだ電子部品１０点以下の電子回路を利用する方式。
各個人専用の入力器は、意図した文字記号を移動・確定・修正するためのセンサーを有したもので、変形自在で一定の時間経過後固まる材料を使用しており、センサーを埋め込み取りつけた入力器である。
【発明の詳細な説明】
【技術分野】
【０００１】
本発明は車の前後左右の窓ガラスに付着する霜を除去しやすくする為の装置（シート）とこのシートを不透明にする事により車の運転が出来ず盗難を防止する装置とを併せ持った霜取りシート付き盗難防止器に関するものである。
【背景技術】
【０００２】
従来のものは霜取りシートと盗難防止器はそれぞれ個別に作られており、関連性がなかった。
【発明の開示】
【発明が解決しようとする課題】
【０００３】
霜取りシートと盗難防止器はすでに種々の装置器具が考案され販売されている。
霜取りに関しては、車内をエンジンを始動して暖めてやれば（時間的余裕があれば）霜取りシートそのものが不要となるし、前後左右が見えて運転に支障とならない程度あれば、走行して5分もすれば霜が取れてしまうため完璧な霜取り機能は要求されないということである。
車の盗難に関する機能の特徴はどんなに高度化しても、それを無効にする盗難意欲と技能があれば確実には盗難を防止する事はできない。
したがって、これら2つの機能は高度なものでなく、簡単なもので、霜を取り除き、盗難意欲を削ぐものであれば、実用的で、低価格で買い替えが容易なものであればよいことになる。
本考案はこの様な視点から開発されたもので、従来の霜取りシートと盗難防止器がそれぞれ個別に販売され、取り扱いも一貫性がなく、低価格商品をねらう割には価格も割高であったので、より低価格で商品化しようとするものである。
【課題を解決するための手段】
【０００４】
本発明の構成は霜取り装置部と盗難防止部とを備えたものである。車のガラス部に不透明の霜取りシートを置くことにより、霜が車のガラスに付着しないようにしたものである。またそのシートを取り外さなければ先は見えず運転できない。盗人がその霜取りシートを取り外したり、ドアを開けたりしたときセンサーが働き、警報ブザーまたは車のクラクションを鳴らして盗難防止をしようとするものである。
【０００５】
本発明の霜取り装置部は車内の前後左右の窓ガラス縁の周辺部に磁石を固着設置し、車外のその対向位置に磁石を置くことにより、互いに吸引力が働き固着させる方法、あるいは車の窓ガラス周辺の鉄板部を使って、車内外に磁石を置くことにより磁石を固着させる方法で、磁石の吸引する力の原理を利用したものである。
霜取りシートは車の前後左右の窓ガラスの外側に、これらの磁石によって固定される。シートに要求されることは霜がついても容易に除去・再利用ができかつ不透明のもので、使い捨てができるものであってもよく、安価で装着が簡単に行われるものである。したがって、シートとしては安価な不透明のビニールシートや軽度の霜であれば新聞紙なども使える。
【０００６】
本発明の盗難防止部は、電源電圧確認回路・盗難防止機能設定確認回路・盗難感知回路・盗難発生警報回路からなる。
これらの回路は電池・LED・ブザー・スイッチ・マグネットスイッチ・マグネットリレー・車のクラクションの部品を使って作ることができる。
【発明の効果】
【０００７】
固着板取り付け、シート取り付け・取り外しが簡単である
車内の窓ガラス縁の周辺に車内マグネットまたは鉄板（以下固着板という）を固着し、または車の窓ガラス周辺鉄板（以下これも固着板という）を利用して、車外から窓ガラスの上にシートを置き、その上に固着板と対向して車外マグネットでシートを固定する方法のため簡単である。
【０００８】
コストが安価で、周辺地域のモラルの程度を知るバロメータとなる
シートとしては薄い不透明のビニールシートでも十分であるし、軽度の霜であれば新聞紙なども使える。薄いビニールシートや車外マグネットは盗難の恐れがあるが、シートを外せば警報がなるのでそれが起こる確率は少なくなる。逆にこの様な軽度の盗難から周辺地域のモラルの程度を知る手がかりが得られる。
【０００９】
３．霜取り、盗難防止の機能が果たせるうえに、周辺地域のモラル向上を促すきっかけをつかむことができる
【００１０】
４．車盗難以外の盗難防止、進入防止にも転用できる
盗難防止部を他の用途に転用するための工夫は比較的簡単であり、安価であることから実用性が高い。
【発明を実施するための最良の形態】
【００１１】
図１は本発明の基本構成図である。本発明の構成は車内マグネット・固定鉄板または本体鉄板）からなる固着板１、車の前後左右の窓ガラス6の上に設置する霜取りシート２、車外マグネット3、盗難防止装置本体４、盗難防止用マグネットセンサー５、マグネットリレー7からなるもので、霜取り機能と盗難防止機能をもつものである。
図２は車内の固着板１の取り付け位置を示す。
図３は車の前後左右の窓ガラス6の上に霜取りシート２を置き、そのシートを固定するための車外マグネット３の取り付け位置を示す。
【００１２】
図４は本発明の盗難防止装置の回路構成である。
電源回路・電源電圧確認回路・盗難防止機能設定確認回路・盗難感知回路・盗難発生警報回路から構成され、下記の働きをもっている。
電源回路：電池または車のバッテリーを電源とする
電源電圧確認回路：電源が正常電圧であるか否かを確認する
盗難防止機能設定確認回路：盗難防止機能に設定したとき正常動作するか否かを確認する
盗難感知回路：盗難者がシートまたは車外マグネットを許可なく取り外した時、それを感知し、警報を発するよう知らせる回路
盗難発生警報回路：盗難者がシートまたは車外マグネットを許可なく取り外した時、警報ブザーまたは車のクラクションが警報を発する
【００１３】
図５は本発明の盗難防止装置の回路例である。その動作順を説明する。
メインスイッチS1をONにする。
LED１が点灯する（点灯すれば電池電圧の正常）。
車内マグネットセンサーS2を貼り付けたガラス面の反対側（車外のガラス面）に霜取りシート２がある。
その上に車外マグネット3を置くと、その磁気で車内マグネットセンサーS2がONする。車内マグネットセンサーS2がONするとLED３がON(緑点灯)する。
何者かが車外マグネット3を取り外すと磁気が減少し、車内マグネットセンサーS2がOFF し、LED３がON(緑点灯)すると、ブザーB1又は車のクラクションが警報を発する。
車外マグネット3が設置されていないときは、車内マグネットセンサーS2がOFFでありLED２がON(赤点灯)する。
動作を停止するときはメインスイッチS1をOFFにする。（このスイッチは簡単に操作できないよう工夫すれば効果的である）
【００１４】
図６は盗難者が盗もうとしたことを感知するための車内マグネットセンサーS2の取り付け位置と動作原理を説明する
車外マグネット3を車内マグネットセンサー5に接近させて設置すると両者の磁力が
働き、車内マグネットセンサー5の接点が動き、盗難防止装置本体４のLED2がON
し、盗難防止機能設定確認回路が動作し、監視状態となる。
何者かが車外マグネット3を取り外すと磁気が減少し、車内マグネットセンサー5の
接点が動き、盗難防止装置本体４のLED３がON(緑点灯)すると、ブザーB1が警報を
発する。
【００１５】
本発明の使用形態としては、マグネットセンサーをフロントガラスまたは運転者側ドアに設置する使用形態が有る。                                                  
【実施例】
【００１６】
フロントガラスで使用する場合
図６でマグネットセンサーを車内側とすれば、フロントガラスで使用する場合になる
【００１７】
運転者側ドアで使用する場合  
図６でマグネットセンサーを運転者側ドアとすれば、運転者側ドアで使用する場合になる
【産業上の利用可能性】
【００１８】
１．コストが安価で、周辺地域のモラルの程度を知るバロメータとなる
シートとしては薄い不透明のビニールシートでも十分であるし、軽度の霜であれば新聞紙なども使える。薄いビニールシートや車外マグネットは盗難の恐れがあるが、警報がなるのでそれが起こる確率は少なくなる。逆にこの様な軽度の盗難から周辺地域のモラルの程度を知る手がかりが得られる。
【００１９】
２．霜取り、盗難防止の機能が果たせるうえに、周辺地域のモラル向上を促すきっかけをつかむことができる。
【００２０】
３．車盗難以外の盗難防止、進入防止にも転用できる
盗難防止部を他の用途に転用するための工夫は比較的簡単であり、安価であることから実用性が高い。
【図面の簡単な説明】
【００２１】
【図１】本発明の基本構成図
【図２】車内の固着板１の取り付け位置
【図３】車外マグネット３の取り付け位置
【図４】本発明の盗難防止装置の回路構成
【図５】本発明の盗難防止装置の回路例
【図６】マグネットセンサーの取りつけ位置と動作原理
【符号の説明】
【００２２】
１  固着板１（車内マグネット・固定鉄板（または本体鉄板））
２  霜取りシート
３  車外マグネット
４  盗難防止装置本体
５  盗難防止用マグネットセンサー
６  車の前後左右の窓ガラス
マグネットリレー
S1  メインスイッチ
S2  車内マグネットセンサー
LED１  LED（白）
LED２  LED（赤）
LED３  LED（緑）
BZ  ブザーまたは車のクラクション
BT  電源（電池）
Z    電流制限抵抗
【図１】
2005280414.tif 000003
【図２】
2005280414.tif 000004
【図３】
2005280414.tif 000005
【図４】
2005280414.tif 000006
【図５】
2005280414.tif 000007
【図６】
2005280414.tif 000008